(57)【特許請求の範囲】
【請求項１】
ＲＦ信号のガードインターバル部分からエネルギーを採取するための方法であって、
（ａ）前記ＲＦ信号の前記ガードインターバル部分が生じることになる時点と、
前記ＲＦ信号の前記ガードインターバル部分が生じていることと、
のうちの少なくとも１つを決定するステップと、
（ｂ）ステップ（ａ）の後に、前記ＲＦ信号の前記ガードインターバル部分が生じている期間のうち、チャネルの遅延スプレッドに応じた期間にわたって、前記ＲＦ信号を、蓄積するために前記ＲＦ信号からエネルギーを採取するように構成されたエネルギー採取ユニットに搬送するステップとを備える、方法。
【請求項２】
（ｃ）前記ＲＦ信号の前記ガードインターバル部分が生じない時点を決定するステップと、
（ｄ）ステップ（ｃ）の後に、少なくとも前記ガードインターバル部分が生じていない間に、前記ＲＦ信号を信号処理ユニットに搬送するステップとを更に備える、請求項１に記載の方法。
【請求項３】
ステップ（ｂ）の後であるがステップ（ｄ）の前に、前記ガードインターバル部分が生じている間に、前記ＲＦ信号を信号処理ユニットに搬送することを更に備える、請求項２に記載の方法。
【請求項４】
ステップ（ｃ）は、前記ＲＦ信号の前記ガードインターバル部分の終了が生じることになる時点を決定することを備える、請求項２又は３に記載の方法。
【請求項５】
前記ＲＦ信号の前記ガードインターバル部分の前記終了が生じることになる時点を前記決定することは、
前記ＲＦ信号の前記ガードインターバル部分の前記終了が生じることになる時点についての情報を受信することと、
前記ＲＦ信号の構造に基づいて、前記ＲＦ信号の前記ガードインターバル部分の終了が生じることになる時点を決定することと
のうちの少なくとも１つを備える、請求項４に記載の方法。
【請求項６】
ステップ（ｃ）は、前記ＲＦ信号の前記ガードインターバル部分の持続時間を決定することを備える、請求項２〜５のいずれかに記載の方法。
【請求項７】
前記ＲＦ信号の前記ガードインターバル部分の前記持続時間を前記決定することは、
前記ＲＦ信号の前記ガードインターバル部分の前記持続時間についての情報を受信することと、
前記ＲＦ信号の構造に基づいて前記ＲＦ信号の前記ガードインターバル部分の前記持続時間を決定することと
のうちの少なくとも１つを備える、請求項６に記載の方法。
【請求項８】
ステップ（ａ）は、前記ＲＦ信号の前記ガードインターバル部分の開始が生じることになる時点を決定するステップを備える、請求項１〜７のいずれかに記載の方法。
【請求項９】
前記ＲＦ信号の前記ガードインターバル部分の前記開始が生じることになる時点を決定する前記ステップは、
前記ＲＦ信号の前記ガードインターバル部分の前記開始が生じることになる時点についての情報を受信することと、
前記ＲＦ信号の構造に基づいて、前記ＲＦ信号の前記ガードインターバル部分の開始が生じることになる時点を決定することと
のうちの少なくとも１つを備える、請求項８に記載の方法。
【請求項１０】
ステップ（ｂ）は、前記ＲＦ信号の前記ガードインターバル部分の前記開始後に行われる、請求項８又は９に記載の方法。
【請求項１１】
前記エネルギー採取ユニットは、前記ＲＦ信号から採取されたエネルギーを蓄積するための電池及び／又はコンデンサを備える、請求項１〜１０のいずれかに記載の方法。
【請求項１２】
前記ＲＦ信号の前記ガードインターバル部分はサイクリックプレフィックスを含む、請求項１〜１１のいずれかに記載の方法。
【請求項１３】
ステップ（ｂ）において前記エネルギー採取ユニットに搬送される前記ＲＦ信号の前記ガードインターバル部分は、受信されたＲＦ信号を処理するように構成されたアナログ／デジタルコンバータＡＤＣによって処理されることなく搬送される、請求項１〜１２のいずれかに記載の方法。
【請求項１４】
請求項１〜１３のいずれかに記載の方法を実行するように構成された装置。
【請求項１５】
１つ以上のプロセッサによって実行されると、前記１つ以上のプロセッサに、請求項１〜１３のいずれかに記載の方法を実行させるように構成された機械可読命令を備える非一時的コンピュータ可読媒体。
【発明の詳細な説明】
【技術分野】
【０００１】
本開示はエネルギーハーベスティングに関する。詳細には、これに限定しないが、本開示は、ＲＦ信号のガードインターバル部分からのエネルギーの採取に関する。
【背景技術】
【０００２】
近年、産業上及び学術上の関心は、通信システムのエネルギー効率の向上と炭素排出量の削減に重点が置かれてきた。そのような目標は、エネルギー消費量を削減することか、又は風力、太陽光、振動及び／又は電磁エネルギーのような周囲発生源からのエネルギーを採取することかのいずれかによって成し遂げられ得る。電磁エネルギーが、２地点間での情報送信と送電の両方のために使用され得る、ワイヤレス通信に使用されるような無線周波数（ＲＦ）信号から採取され得る。
【発明の概要】
【０００３】
本発明の態様及び特徴は、特許請求の範囲に詳述される。
【０００４】
次いで、添付の図面を参照しながら本開示の例が説明される。
【図面の簡単な説明】
【０００５】
【図１】本明細書に記載される方法を実行するように構成されたワイヤレス受信モジュールを示す図。
【図２】図１のワイヤレス受信モジュールを組み込んだワイヤレスデバイスを示す図。
【図３】ＲＦ信号を例示する図。
【図４】本明細書に記載される方法のステップの流れ図。
【図５】本明細書に記載される方法のステップの流れ図。
【図６】ＳＮＲの種々の値及びサイクリックプレフィックスの長さについてのＯＦＤＭ（直交周波数分割多元接続）システムで採取され得る近似的な電力量をプロットする図。
【発明を実施するための形態】
【０００６】
図１は、アンテナ１１２を介してＲＦ信号を受信するように構成された無線周波数（ＲＦ）受信回路１１４に結合されたアンテナ１１２を備える受信モジュール１１０を示す。ＲＦ受信回路１１４の出力は、マイクロプロセッサ（図示せず）によって制御可能であるスイッチ１１６に結合される。スイッチ１１６は、ＲＦ回路１１４の出力がエネルギー採取器１１８に結合される第１の位置と、ＲＦ回路１１４の出力がアナログ／デジタルコンバータ（ＡＤＣ）１２０に結合される第２の位置との間で動くように動作可能である。図１は、スイッチ１１６を単純な機械スイッチとして示すが、スイッチ１１６は、代わりに、電子スイッチ、例えば、リレー、トランジスタ又は他の半導体スイッチによって具現され得ることを当業者は理解するだろう。エネルギー採取器１１８の出力は、エネルギー採取器によって抽出されるエネルギーを蓄積するように構成されたエネルギー蓄積要素１２２に結合される。エネルギー蓄積要素１２２の例は、ワイヤレスデバイスに直接又は間接的に電力を供給するように構成され得る電池又はコンデンサを含む。アナログ／デジタルコンバータ１２０は、高速フーリエ変換（ＦＦＴ）モジュール１２４に結合され、高速フーリエ変換（ＦＦＴ）モジュール１２４自体は、復号器モジュール１２８に結合された復調モジュール１２６に結合され、復号器モジュール１２８の出力は、その後、従来の処理のためにマイクロプロセッサ（図示せず）に搬送される。
【０００７】
図２は、ワイヤレスデバイス２１０のマクロ構成要素、例えば、ハブ又は周辺ノードの例示的なブロック図を示す。ワイヤレスデバイス２１０はマイクロプロセッサ２１２を備え、このマイクロプロセッサ２１２は、マイクロプロセッサ２１２がネットワークとワイヤレス通信できるように構成されたワイヤレス受信モジュール１１０；１つ又は複数のボタン、タッチスクリーン、キーボード及びボード接続（例えば、ＵＳＢ接続）を含む場合がある複数の入力／出力インターフェース２１６；及びメモリ２１８に記憶されている命令及びデータを取り出し、マイクロプロセッサ２１２に与えることができるように構成されたメモリ２１８；のうちの１つ又は複数を介してワイヤレスデバイス２１０に与えられ得るコンピュータ可読命令を実行するように構成される。マイクロプロセッサ２１２は更に、ユーザインターフェースが表示される場合があるとともに更に処理及び検知動作の結果が提示される場合があるモニタに結合され得る。この場合、入力／出力インターフェース２１６は、スイッチ１１６を制御し、復号器モジュール１２８から復号されたデータを受信するように構成される。
【０００８】
本発明者らは、信号に影響を及ぼすことなく、ＲＦ信号の幾つかの部分からエネルギーを採取する余地があるという洞察に達した。詳細には、パケット化された信号が広帯域／周波数選択チャネルを介して送信されるときに、シンボル間干渉に対応するために、送信信号の先頭にガードインターバルが付加される。ＲＦ信号内のガードインターバルは、最大でシンボル持続時間の２５％を占有する可能性があり、多くの場合にサイクリックプレフィックスを含むが、固有ワード及びゼロパディングのような他の形態で現れる場合もある。図３は、ガードインターバル部分３１２、この場合には、サイクリックプレフィックスを含む、例示的なＲＦ信号３１０の例示を示す。サイクリックプレフィックス手法では、メッセージパケットの最後のＬ個のシンボルが、パケットの先頭に付加される。但し、Ｌはチャネルタップの数より大きい。受信側では、メッセージの残りの部分に任意の信号処理が実行される前に、ガードインターバルが破棄される。従って、ＲＦ信号のメッセージ内容を劣化させることなく、ガードインターバル又はその一部からエネルギーが採取され得る。
【０００９】
周波数選択チャネルを介して動作する通信システムを考える。チャネルがＬ個のタップによって表されるものとする。デジタル送信信号は
【００１０】
【数１】
0006490792.tif 000002
【００１１】
Ｔ∈Ｃ(P+L)×Nは、送信されるメッセージの先頭に長さＰ＞Ｌのガードインターバルを付加する役割を担う行列である。ＯＦＤＭシステムの場合、
【００１２】
【数２】
0006490792.tif 000003
【００１３】
である。但し、Ｆは高速フーリエ変換（ＦＦＴ）行列であり、ｘはメッセージシンボルのベクトルである。
【００１４】
ガードインターバルを除去する前の受信機における信号は以下のように表され得る。
【００１５】
【数３】
0006490792.tif 000004
【００１６】
但し、Ｈは第１の列［ｈ0，ｈ1，．．．ｈL-1，０，．．．０］Tを有するテプリッツチャネル行列であり、ｎは付加白色ガウス雑音ベクトルである。先に言及されたように、従来のシステムでは、ガードインターバルは通常、破棄される。ガードインターバルの挿入は、ＩＳＩ（シンボル間干渉）に対応するには有益であるが、ガードインターバルの存在は、システムのエネルギー効率を低下させる。本明細書に記載される手法は、再生されなければ破棄されることになっていたガードインターバルからエネルギーを再生し、そのエネルギーを蓄積するか、又は他の構成要素によって使用するための電気エネルギーに変換する。
【００１７】
図４は、ガードインターバルからエネルギーを採取するための方法のステップの流れ図を示す。ステップＳ４１０において、ガードインターバルを含むＲＦ信号が、例えば、アンテナ１１２によって受信される。ステップＳ４１２において、ガードインターバルの開始が生じる時点に関する決定が行われる。１つの可能性として、その決定は、ＲＦ信号内に含まれ、アンテナによって受信され、復号器モジュール１２８によって復号された情報に基づいて、マイクロプロセッサ２１２によって行われる。例えば、ＲＦ信号の構造によって、マイクロプロセッサが、ガードインターバルが生じ始めると予想される時点又はガードインターバルが生じているか否かを決定できる場合がある。同様に、ＲＦ信号の構造によって、マイクロプロセッサは、ガードインターバルの持続時間及び／又はガードインターバルの終了が生じることになる時点を決定できる場合がある。別の可能性又は更なる可能性として、マイクロプロセッサ２１２は、ガードインターバルが開始することになる時点、ガードインターバルが生じているか否か、ガードインターバルの持続時間及び／又はガードインターバルが終了することになる時点について明示的な情報を受信することができる。その情報は、アンテナ１１２によって受信され、その後、復号器モジュール１２８によって復号されるＲＦ信号においてマイクロプロセッサ２１２によって受信される場合があり、その情報を含むＲＦ信号は、エネルギーがそこから採取されるＲＦ信号と同じである場合も、異なる場合もある。マイクロプロセッサ２１２がその情報を受信することができる他のやり方を当業者は認識されよう。
【００１８】
ステップＳ４１４において、ガードインターバル中にアンテナ１１２によって受信されたＲＦ信号からエネルギーが採取される。図４の例では、エネルギーは、ガードインターバルの全持続時間にわたって採取される。しかしながら、エネルギーは、ＲＦ信号のガードインターバル部分の一部のみにわたって採取される場合もある。例えば、ＯＦＤＭ信号の場合、ＦＦＴタイミング窓は、ＩＳＩを除去するためにＣＰ内で開始する場合があるので、エネルギー採取にはＣＰの一部のみが使用されることになる。チャネルの遅延スプレッドがｋである場合には、ＩＳＩに影響を及ぼすことなく、Ｐ−ｋに等しい部分からエネルギーが採取され得る。
【００１９】
ステップＳ４１４においてエネルギーを採取する１つのやり方は、ＲＦ信号がＲＦ受信回路１１４からエネルギー採取器１１８に搬送されるように、マイクロプロセッサ２１２がスイッチ１１６を制御することである。１つの可能性として、ＲＦ信号はエネルギー採取ユニットに搬送されている間、無用な電力消費を回避するために、ＡＤＣ１２０の動作が停止される。
【００２０】
ステップＳ４１６において、ガードインターバルが終了しようとしており、ガードインターバルの終了時に、又は終了前にエネルギー採取が中止されるという決定が（本明細書に記載される手法を用いて）行われる。
【００２１】
ステップＳ４１６においてエネルギー採取を中止する１つのやり方は、ＲＦ信号がＲＦ受信回路１１４からＡＤＣ１２０に搬送され、受信信号に関する通常の信号処理動作が実行され得るように、マイクロプロセッサ２１２がスイッチ１１６を制御することである。
【００２２】
図４に示されるように、ガードインターバルからエネルギーを採取するために、ＡＤＣ動作前に、切替動作が実行される。ＯＦＤＭの例では、これは実質的には、受信機をＯＦＤＭフレームに同期させる必要がある。
【００２３】
例えば、ＷＩＦＩフレーム内の長いプリアンブルを用いて、おおまかな同期が得られると、受信系列内のガードインターバルの開始場所を知ることができる。この知識と、例えば受信機に明示的に送られ得るか、又はプリアンブルデータ内に含まれ得るサイクリックプレフィックスの長さとに基づいて、ガードインターバルの終了も決定され得る。切替動作を例示する流れ図が図５に示される。
【００２４】
ステップＳ５１０において、アンテナ１１２において受信されたフレームの先頭を用いて、初期同期が実行される。ステップＳ５１２において、ガードインターバルの開始が識別され、ステップＳ５１４において、例えば、送信機によって送られたシグナリング情報及び／又はアンテナ１１２によって受信された信号のプリアンブルから、ガードインターバルの持続時間が決定される。ステップＳ５１６において、ガードインターバルの開始が待たれ、ステップＳ５１８において、ガードインターバルが開始されると、ガードインターバルの持続時間以下の持続時間にわたって、受信されたＲＦ信号をエネルギー採取器１１８に搬送するように、スイッチ１１６が動作する。その持続時間が経過すると、ステップＳ５２０において、受信されたＲＦ信号を、アナログ／デジタル変換のためにＡＤＣ１２０に搬送するように、スイッチ１１６が動作する。１つの可能性として、受信されたＲＦ信号をＡＤＣ１２０に搬送する代わりに、受信されたＲＦ信号は、信号処理のために汎用信号処理ユニットに搬送され得る。そのような信号処理ユニットが、ＡＤＣ１２０、ＦＦＴモジュール１２４、復調器モジュール１２６及び復号器モジュール１２８のいずれか又は全てを備える場合があることを当業者は認識されよう。
【００２５】
本明細書に記載される手法の可能性を例示するために、デジタル表現における受信信号が以下において検討される。エネルギー保存則によって、この表現は、アナログ領域内で採取可能なエネルギーの良好な近似を与える。従って、採取動作はアナログ／デジタル変換前に実行されるので、以下は実際に採取され得るエネルギー量の近似である。
【００２６】
採取される信号の部分は以下のように表され得る。
【００２７】
【数４】
0006490792.tif 000005
【００２８】
但し、ＲEHは、ＣＰから採取する役割を担う行列である。実用的観点から、シンボル間干渉を除去するために、ＦＦＴタイミング窓は通常、ＣＰ内で開始するので、ＥＨのためにＣＰの全体が使用されるとは限らないことは理解されたい。代わりに、１つの可能性として、ＣＰの一部のみが使用されることになる。
【００２９】
採取されるエネルギーの予想量は以下のように表され得る。
【００３０】
【数１】
0006490792.tif 000006
【００３１】
異なるサイクリックプレフィックス長Ｌcpを有する合計Ｎ＝３２個のサブキャリアが考えられる。従来のエネルギー採取しないシステムの場合、電力は採取されないが、本明細書に記載される手法では、サイクリックプレフィックスのエネルギーのうちのある量又は全量が採取される場合がある。
【００３２】
好ましくは、エネルギー採取動作はＡＤＣ動作前に実行され、即ち、採取プロセスはアナログ信号に実行される。そのような場合には、上記のように切替動作が実行される。信号が受信されると、ガードインターバルに対応する持続時間にわたってＥＨユニットが動作し、その後、受信機はＡＤＣユニットに戻るように切り替わる。この場合、ＡＤＣユニット後に、ガードを除去する必要はなく、代わりに、ＡＤＣ後に（ＯＦＤＭのための）ＦＦＴ動作が直接適用される。ＡＤＣは電力を大量に消費するので、ＡＤＣがＲＦ信号を受信する前にエネルギー採取を実行することは、エネルギー採取中にＡＤＣを動作させるのを不要にし、それによりエネルギー消費量を削減する。
【００３３】
本明細書に記載される手法は、ＯＦＤＭとの関連において提示されてきたが、それらの手法は、数ある中でも、ＳＣ−ＦＤＥ又はＳＣ−ＦＤＭＡのような、ガードインターバルを有する任意のシステムに適用可能である。更に、本明細書に記載される手法は、他の形のＲＦエネルギー採取とともに利用され得る。
【００３４】
説明された手法の例が、以下の箇条リストに詳述される。
１．通常破棄される受信信号の部分がエネルギー採取のために使用される、通信システムの受信側における装置又は手順。例えば、ＯＦＤＭシステムでは、この方法は、サイクリックプレフィックス又はガードインターバルからエネルギーを採取することになる。
２．ガードインターバルのタイミングに基づいて、受信ノードがエネルギー採取モードと信号処理モードとを切り替えることができる方法。
３．受信系列においてガードインターバルの開始及び持続時間を決定するための方法。この知識に基づいて、受信デバイスが、エネルギー採取段階と信号処理モードとを切り替えることができる。
４．送信ノードがガードインターバルの持続時間に関する情報を受信機に送る方法。
５．受信デバイスが、プリアンブル、トレーニング系列の存在などの信号構造に基づいて、ガードインターバルの開始を決定する。
６．通常破棄されることになる受信信号の部分からエネルギーを採取することによって、電池駆動受信ノードの寿命を延ばすための方法。
７．シンボル間干渉が信号に影響を及ぼさないように、受信デバイスにおいてガードインターバルの一部のみから採取する手段。
【００３５】
１つの可能性として、ＲＦ信号がエネルギー採取ユニットに搬送されている間に、例えば、その電源を取り除くことによって、ＡＤＣの動作が停止される。
【００３６】
本明細書において言及されるようなエネルギー採取器は一般に、動作するために電力を引き込まない受動デバイスである。採取されたエネルギーは、電池又はコンデンサのような従来の蓄積デバイスを用いて蓄積され得るか、又は他の低電力回路に電力を供給するために直接使用され得る。本明細書に記載される手法は、任意の特定のタイプのエネルギー採取器とともに使用することに限定される必要はなく、代わりに、任意の入手可能なエネルギー採取器とともに使用され得ることは当業者には理解されよう。
【００３７】
ＲＦ信号のガードインターバル部分が生じることになるか、又は生じていることを決定することと、その後、そこからエネルギーを採取することとを備える、エネルギーを採取するための方法が、本明細書において説明されてきた。
【００３８】
本明細書に記載される手法は、ハードウェア及び／又は、例えば、非一時的コンピュータ可読媒体とすることができるコンピュータ可読媒体上のファームウェア及び／又はソフトウェアを含む任意の適切な形において具現され得る。本明細書に記載される方法のいずれか、又は全てをプロセッサに実行させるために、プロセッサ上で実行するために構成されるコンピュータ可読命令を搬送するコンピュータ可読媒体。
【００３９】
コンピュータ可読媒体という用語は、本明細書において使用されるときに、プロセッサを特定の態様で動作させるためのデータ及び／又は命令を記憶する任意の媒体を指している。そのような記憶媒体は、不揮発性媒体及び／又は揮発性媒体を備えることができる。不揮発性媒体は、例えば、光ディスク又は磁気ディスクを含むことができる。揮発性媒体は、ダイナミックメモリを含むことができる。記憶媒体の例示的な形態は、フロッピー（登録商標）ディスク、フレキシブルディスク、ハードディスク、固体ドライブ、磁気テープ、任意の他の磁気データ記憶媒体、ＣＤ−ＲＯＭ、任意の他の光データ記憶媒体、１つ又は複数の穴パターン又は突起パターンを有する任意の物理的媒体、ＲＡＭ、ＰＲＯＭ、ＥＰＲＯＭ、フラッシュＥＰＲＯＭ、ＮＶＲＡＭ、及び任意の他のメモリチップ又はカードリッジを含む。
以下に、出願当初の特許請求の範囲に記載された発明を付記する。
［Ｃ１］
ＲＦ信号のガードインターバル部分からエネルギーを採取するための方法であって、
（ａ）前記ＲＦ信号の前記ガードインターバル部分が生じることになる時点と、
前記ＲＦ信号の前記ガードインターバル部分が生じていることと、
のうちの少なくとも１つを決定するステップと、
（ｂ）ステップ（ａ）の後に、前記ＲＦ信号の前記ガードインターバル部分が生じている間に、前記ＲＦ信号を、蓄積するために前記ＲＦ信号からエネルギーを採取するように構成されたエネルギー採取ユニットに搬送するステップとを備える、方法。
［Ｃ２］
（ｃ）前記ＲＦ信号の前記ガードインターバル部分が生じない時点を決定するステップと、
（ｄ）ステップ（ｃ）の後に、前記ガードインターバルが生じていない間に、前記ＲＦ信号を信号処理ユニットに搬送するステップとを更に備える、上記Ｃ１に記載の方法。
［Ｃ３］
ステップ（ｂ）の後であるがステップ（ｄ）の前に、前記ガードインターバルが生じている間に、前記ＲＦ信号を信号処理ユニットに搬送することを更に備える、上記Ｃ２に記載の方法。
［Ｃ４］
ステップ（ｃ）は、前記ＲＦ信号の前記ガードインターバル部分の終了が生じることになる時点を決定することを備える、上記Ｃ２又は３に記載の方法。
［Ｃ５］
前記ＲＦ信号の前記ガードインターバル部分の前記終了が生じることになる時点を前記決定することは、
前記ＲＦ信号の前記ガードインターバル部分の前記終了が生じることになる時点についての情報を受信することと、
前記ＲＦ信号の構造に基づいて、前記ＲＦ信号の前記ガードインターバル部分の終了が生じることになる時点を決定することと
のうちの少なくとも１つを備える、上記Ｃ４に記載の方法。
［Ｃ６］
ステップ（ｃ）は、前記ＲＦ信号の前記ガードインターバル部分の持続時間を決定することを備える、上記Ｃ２〜５のいずれかに記載の方法。
［Ｃ７］
前記ＲＦ信号の前記ガードインターバル部分の前記持続時間を前記決定することは、
前記ＲＦ信号の前記ガードインターバル部分の前記持続時間についての情報を受信することと、
前記ＲＦ信号の前記構造に基づいて前記ＲＦ信号の前記ガードインターバル部分の前記持続時間を決定することと
のうちの少なくとも１つを備える、上記Ｃ６に記載の方法。
［Ｃ８］
ステップ（ａ）は、前記ＲＦ信号の前記ガードインターバル部分の開始が生じることになる時点を決定するステップを備える、上記Ｃ１〜７のいずれかに記載の方法。
［Ｃ９］
前記ＲＦ信号の前記ガードインターバル部分の前記開始が生じることになる時点を決定する前記ステップは、
前記ＲＦ信号の前記ガードインターバル部分の前記開始が生じることになる時点についての情報を受信することと、
前記ＲＦ信号の前記構造に基づいて、前記ＲＦ信号の前記ガードインターバル部分の開始が生じることになる時点を決定することと
のうちの少なくとも１つを備える、上記Ｃ８に記載の方法。
［Ｃ１０］
ステップ（ｂ）は、前記ＲＦ信号の前記ガードインターバル部分の前記開始後に行われる、上記Ｃ８又は９に記載の方法。
［Ｃ１１］
前記エネルギー採取ユニットは、前記ＲＦ信号から採取されたエネルギーを蓄積するための電池及び／又はコンデンサを備える、上記Ｃ１〜１０のいずれかに記載の方法。
［Ｃ１２］
前記ＲＦ信号の前記ガードインターバル部分はサイクリックプレフィックスを備える、上記Ｃ１〜１１のいずれかに記載の方法。
［Ｃ１３］
ステップ（ｂ）において前記エネルギー採取ユニットに搬送される前記ＲＦ信号の前記ガードインターバル部分は、前記受信されたＲＦ信号を処理するように構成されたアナログ／デジタルコンバータＡＤＣによって処理されることなく搬送される、上記Ｃ１〜１２のいずれかに記載の方法。
［Ｃ１４］
上記Ｃ１〜１３のいずれかに記載の方法を実行するように構成された装置。
［Ｃ１５］
１つ以上のプロセッサによって実行されると、前記１つ以上のプロセッサに、上記Ｃ１〜１３のいずれかに記載の方法を実行させるように構成された機械可読命令を備える非一時的コンピュータ可読媒体。
【図１】
0006490792.tif 000007
【図２】
0006490792.tif 000008
【図３】
0006490792.tif 000009
【図４】
0006490792.tif 000010
【図５】
0006490792.tif 000011
【図６】
0006490792.tif 000012